(57)【特許請求の範囲】
【請求項１】
鍵によって操作され解錠位置と施錠位置に往復回動する錠体（３４）と、
該錠体（３４）と同心であるが該錠体（３４）とは独立に回転可能な回転板（５０）であり、外周には、回転板（５０）の径方向に沿った押面（５４ａ）と回転板（５０）の回転方向に沿ったかわし面（５４ｂ）を有する３つの鋸歯状の歯山（５４）及び回転板（５０）の径方向に沿った押面（５６ａ）とこれに平行な当接面（５６ｂ）とを有する突起（５６）が、前記４つの押面（５４ａ、５６ａ）のピッチが互いに９０度になる配置で、それぞれ回転板（５０）の径方向に沿って突出して設けられている回転板（５０）と、
前記錠体（３４）と共回りし、該錠体（３４）が施錠位置から解錠位置に向かう解錠方向に回動されるときには前記回転板（５０）に突押力を及ぼして該回転板（５０）を前記解錠方向に沿って回転駆動するが、該錠体（３４）が解錠位置から施錠位置に向かう施錠方向に回動されるときには前記回転板（５０）を回転駆動しない駆動手段と、
前記回転板（５０）の前記解錠方向に沿っての回転角度が設定角度になった際に前記突起（５６）の当接面（５６ｂ）が当接する位置に配されるストッパ（７８）と、
基端部を前記ストッパ（７８）に保持された板バネ（８０）であり、前記解錠方向に沿っての前記回転板（５０）の回転を許すが、初期状態では前記突起（５６）の前記押面（５６ａ）に自由端が当たることで前記施錠方向に沿っての前記回転板（５０）の回転を阻み、１回目の解錠操作が行われた後は前記歯山（５４）の押面（５４ａ）のいずれか１つに自由端が当たることで前記施錠方向に沿っての前記回転板（５０）の回転を阻み、
前記回転板（５０）の前記解錠方向に沿っての回転角度が設定角度になって前記突起（５６）の当接面（５６ｂ）が前記ストッパ（７８）に当接したときには、前記当接面（５６ｂ）に最も近い前記歯山（５４）の押面（５４ａ）に自由端が当たる逆転防止用板バネ（８０）と、
前記回転板（５０）の前記回転角度が前記設定角度に達するまでに、あと何回の解錠操作が可能であるかを表示する操作可能回数表示手段と
を備えたことを特徴とする錠。
【請求項２】
底部材と蓋部材とを接合して構成される箱状で、その内側に遊技機の制御装置を収容するケース本体と、前記底部材と蓋部材とを接合した状態で施錠されると前記ケース本体の開放を阻み、解錠されると前記ケース本体の開放を許す施錠機構とを備える基板ケースにおいて、
前記施錠機構は請求項１記載の錠を含む
ことを特徴とする基板ケース。
【発明の詳細な説明】
【０００１】
【発明の属する技術分野】
本発明は、錠の技術分野に属し、特に、遊技機の制御装置を収容する基板ケースへの装着に適する錠に関する技術である。
【０００２】
【従来の技術】
パチンコ機等の弾球遊技機やスロットマシン（回胴式遊技機）の遊技内容を制御する、制御装置の中枢はマイクロコンピュータである。このため、マイクロコンピュータのプログラムを不正に改変して（プログラムが格納されているＲＯＭを不正なＲＯＭに交換して）、不正に大当たり等を発生させて不当な利得を得ようとする行為が行われることがあった。
【０００３】
このような不正行為に対処するために、基板ケースの開閉回数を確認可能としておき、別途記録してある正規の開閉回数と照合することで、不正な開閉の有無を判別する技術がある。
その一つは、締め付け方向にはドライバが利くが緩め方向には利かないワンウェイビスを用いて封止される、プラスチック製の基板ケースが採用されている。この構造にすると、ビスを緩めて開放することができないので、ビスを保持している部分を破壊せざるを得ない。このため、不正なＲＯＭの交換などが行われたことは、基板ケースの破壊痕から判別することができる。
【０００４】
しかし、このワンウェイビスを用いる構造の基板ケースでも、接着剤によって破壊痕を判別できない程度に修復が可能であるので、不正な開閉を容易には発見できないこともあった。
他の手法としては、設定回数を越えては解錠できない構造で、しかも設定回数に達するまであと何回の解錠操作が可能であるか（すなわちそれまでの解錠回数）を表示可能な錠を用いて、基板ケースを施錠する技術がある。
【０００５】
このような錠を用いれば解錠回数を明瞭に示すことができる。また、錠を破壊しない限り、表示されている解錠回数のリセットもできないから、ワンウェイビスを用いるよりも確実に不正な開閉を発見できる。
このような錠の一例として、特開平１０−１９２５１８号公報に開示される施錠機構がある。
【０００６】
特開平１０−１９２５１８号公報に開示されている施錠機構は、ａ．鍵によって操作され９０度の範囲で往復回動する錠軸、ｂ．錠軸の先端に固着された鍵片、ｃ．錠軸と一体の爪車、ｄ．錠軸と同心であるが錠軸とは独立に回転可能で、外周に逆転防止爪、上面に短軸と長軸が立設されている回転板、ｅ．一端を回転板に固着され、爪車が解錠方向に回転する際には自由端を爪車の爪と係合させて爪車の回転力を回転板に伝達し、爪車が施錠方向に回転する際には弾性変形し自由端が爪車の周囲を滑る回転力伝達用の板バネ、ｆ．基板ケースの本体側に一端を固着され、回転板が爪車の回転力にて回転する際には弾性変形して自由端が回転板の周囲を滑り、回転板がその逆方向に回転しようとするときには自由端が逆転防止爪と係合して回転板の回転を阻む自由端を有する逆転防止用の板バネ、ｇ．短軸によって押される係合片を備え、基板ケースの本体側に設けられた揺動軸を中心にして揺動可能な扇状の揺動板、ｈ．基板ケースの本体側に固定されて揺動板の基底位置を決める基底位置用の止め軸、ｉ．基板ケースの本体側に固定されて揺動板が最大変位位置になると揺動板に当接してその変位を阻止する変位阻止用の止め軸、ｊ．揺動板が止め軸に当たった際に揺動板の外周に当接する長軸等を備えている。
【０００７】
この施錠機構では、錠軸を解錠方向に９０度回転させると解錠するが、その際に爪車の回転が回転力伝達用の板バネを介して回転板に伝達され、これを９０度前進回転させる。錠軸を施錠方向に９０度戻して施錠する際には、爪車の回転は回転板に伝達されず、また逆転防止用の板バネが回転板の戻り回転を阻止するので、回転板は回転位置を変化させない。このため、回転板は、１回の解錠操作につき９０度ずつ前進回転させられる。
【０００８】
回転板が初期位置から２７０度前進回転すると（３回解錠されると）、短軸が揺動板の係合片に接触し、次の４回目の解錠操作時には短軸が係合片を押して揺動板を揺動させる。４回目の解錠操作により回転板が９０度回転して最大変位位置になると、揺動板は変位阻止用の止め軸に当接して変位を阻止される。また、このとき長軸が揺動板の外周に当接して揺動板の戻りを阻み、揺動板は長軸に当たることで回転板の前進回転を阻止するので、回転板は前進回転できなくなる。しかも、回転板の後退方向の回転は逆転防止用の板バネによって阻止される。したがって、回転板は前後いずれへも回転できなくなる。このため、爪車すなわち錠軸も解錠方向に回転できなくなり、５回目の解錠は不可能となる。
【０００９】
このように、特開平１０−１９２５１８号公報に記載されている施錠機構によれば、設定回数までは解錠を繰り返せるが、それを超えては解錠できない。
【００１０】
【発明が解決しようとする課題】
しかしながら、特開平１０−１９２５１８号公報に記載されている施錠機構は、上述したとおり部品点数が多く、構造も複雑であった。
また、逆転防止用の板バネ、揺動板と揺動軸、基底位置用の止め軸及び変位阻止用の止め軸が、基板ケースの本体側に取り付けられて、錠装置とは分離されているので、組立作業は複雑となり、施錠機構のコンパクト化も困難であった。
【００１１】
本発明は、設定回数までは解錠操作が可能な施錠機構を備える基板ケースにおいて、施錠機構の部品点数の削減、構造の単純化及びコンパクト化を目的としている。
【００１２】
【課題を解決するための手段及び発明の効果】
請求項１記載の錠は、
鍵によって操作され解錠位置と施錠位置に往復回動する錠体（３４）と、
該錠体（３４）と同心であるが該錠体（３４）とは独立に回転可能な回転板（５０）であり、外周には、回転板（５０）の径方向に沿った押面（５４ａ）と回転板（５０）の回転方向に沿ったかわし面（５４ｂ）を有する３つの鋸歯状の歯山（５４）及び回転板（５０）の径方向に沿った押面（５６ａ）とこれに平行な当接面（５６ｂ）とを有する突起（５６）が、前記４つの押面（５４ａ、５６ａ）のピッチが互いに９０度になる配置で、それぞれ回転板（５０）の径方向に沿って突出して設けられている回転板（５０）と、
前記錠体（３４）と共回りし、該錠体（３４）が施錠位置から解錠位置に向かう解錠方向に回動されるときには前記回転板（５０）に突押力を及ぼして該回転板（５０）を前記解錠方向に沿って回転駆動するが、該錠体（３４）が解錠位置から施錠位置に向かう施錠方向に回動されるときには前記回転板（５０）を回転駆動しない駆動手段と、
前記回転板（５０）の前記解錠方向に沿っての回転角度が設定角度になった際に前記突起（５６）の当接面（５６ｂ）が当接する位置に配されるストッパ（７８）と、
基端部を前記ストッパ（７８）に保持された板バネ（８０）であり、前記解錠方向に沿っての前記回転板（５０）の回転を許すが、初期状態では前記突起（５６）の前記押面（５６ａ）に自由端が当たることで前記施錠方向に沿っての前記回転板（５０）の回転を阻み、１回目の解錠操作が行われた後は前記歯山（５４）の押面（５４ａ）のいずれか１つに自由端が当たることで前記施錠方向に沿っての前記回転板（５０）の回転を阻み、
前記回転板（５０）の前記解錠方向に沿っての回転角度が設定角度になって前記突起（５６）の当接面（５６ｂ）が前記ストッパ（７８）に当接したときには、前記当接面（５６ｂ）に最も近い前記歯山（５４）の押面（５４ａ）に自由端が当たる逆転防止用板バネ（８０）と、
前記回転板（５０）の前記回転角度が前記設定角度に達するまでに、あと何回の解錠操作が可能であるかを表示する操作可能回数表示手段と
を備えている。
【００１３】
この錠では、鍵によって錠体を回動操作すると、錠体を解錠位置と施錠位置に変位させることができる。錠が装着される部材例えば請求項２記載の基板ケースに、錠体が施錠位置になったときに係合し解錠位置では係合が解除されるような、錠体の相手方となる構造を設けておけば、錠体を操作することによって施錠、解錠できる。
【００１４】
錠体を解錠方向に回動させるときには、錠体と共回りする駆動手段が、回転板（５０）に突押力を及ぼして回転板（５０）を解錠方向に沿って回転駆動する。しかし、錠体を施錠方向に回動させるときには、駆動手段は回転板（５０）を回転駆動しない。すなわち、駆動手段は、回転板（５０）を解錠方向にのみ回転駆動する。
回転板（５０）の解錠方向に沿っての回転角度が設定角度になった際に突起（５６）の当接面（５６ｂ）が当接する位置にはストッパ（７８）が配されている。
【００１５】
一方、基端部をストッパ（７８）に保持された板バネ（８０）である逆転防止用板バネ（８０）は、解錠方向に沿っての回転板（５０）の回転を許すものの、初期状態では突起（５６）の押面（５６ａ）に自由端が当たることで施錠方向に沿っての回転板（５０）の回転を阻み、１回目の解錠操作が行われた後は歯山（５４）の押面（５４ａ）のいずれか１つに自由端が当たることで施錠方向に沿っての回転板（５０）の回転を阻む。
したがって、回転板（５０）は、錠体を施錠位置から解錠位置に変化させる毎に（解錠１回毎に）解錠方向に回転変位し、戻ることはない。
【００１６】
そして、回転板（５０）の解錠方向に沿っての回転角度が設定角度になった際には、突起（５６）の当接面（５６ｂ）がストッパ（７８）に当接し、当接面（５６ｂ）に最も近い歯山（５４）の押面（５４ａ）に逆転防止用板バネ（８０）の自由端が当たるので、回転板（５０）は、解錠方向へも施錠方向へも回転変位できなくなる。
回転板（５０）の回転角度が設定角度になった後、錠体を解錠位置から施錠位置に戻して、さらに解錠位置にしようとしても、すでに回転変位できなくなっている回転板（５０）が駆動手段の回動を阻むから、駆動手段と共回りする錠体も回動できない。よって、解錠操作できない。
【００１７】
このように、この錠は、回転板（５０）の回転角度が設定角度になるまでは（すなわち設定された回数だけは）解錠操作できるが、それ以後は解錠操作できない。
そして、操作可能回数表示手段が、回転板（５０）の回転角度が設定角度に達するまでに、あと何回の解錠操作が可能であるかを表示するので、それにより解錠回数も明瞭に示される。また、錠を破壊しない限り、表示されている解錠回数のリセットもできないから、ワンウェイビスを用いるよりも確実に不正な開閉を発見できる。
【００１８】
しかも、この錠は、特開平１０−１９２５１８号公報に記載されている施錠機構における揺動板等は不要であり、部品点数は少なく、構造も単純である。また、錠が装着される部材側に揺動板のような部材を設ける必要もないから、組付作業は簡単であり、施錠機構のコンパクト化も可能になる。
【００１９】
なお、駆動手段は、公知のラチェット機構等を採用すればよいが、次のような構成が簡単である。すなわち、径方向に沿った押面と接線方向に沿ったかわし面とを有する複数の歯山が外周に設けられ錠体と共回りする爪車を駆動手段とし、回転体にはピン体を立設し、そのピン体にて駆動用板バネの基端部を保持して、その駆動用板バネの自由端側は回転体の回転面に沿って弾性変形可能としておいて、その自由端を爪車の歯山に接触させる構成を採用できる。この構成とすれば、錠体を解錠方向に回動させるときには、これと共回りする爪車の押面にて駆動用板バネの自由端を突押することで回転体を解錠方向に回転させることができるが、錠体を施錠方向に回動させるときには、駆動用板バネの自由端部がかわし面を滑るから回転体を駆動しない。
【００２１】
請求項２記載の基板ケースは、底部材と蓋部材とを接合して構成される箱状で、その内側に遊技機の制御装置を収容するケース本体と、前記底部材と蓋部材とを接合した状態で施錠されると前記ケース本体の開放を阻み、解錠されると前記ケース本体の開放を許す施錠機構とを備える基板ケースにおいて、前記施錠機構は請求項１記載の錠を含むことを特徴とする。
【００２２】
この基板ケースは、請求項１記載の錠を採用しているので、解錠回数が明瞭に示され、錠を破壊しない限り、表示されている解錠回数のリセットもできないから、ワンウェイビスを用いるよりも確実に不正な開閉を発見できる。
しかも、錠体が施錠位置になったときに係合し解錠位置では係合が解除されるような、錠体の相手方となる構造を基板ケース本体側に設けるだけで施錠機構を完成できるから、基板ケースの構造は複雑化しない。また、そうした構造の基板ケース本体に錠を装着するだけでよいから、組立作業も簡単である。
【００２３】
【発明の実施の形態】
次に、本発明の実施例を図面を参照して説明して発明の実施の形態の説明とする。
【００２４】
【実施例】
本実施例の錠１０は、図１に示される形状をしている。この錠１０の構造について、主に図２を参照して説明する。
図２に示すように、錠１０は、キャップ２０、錠本体３０、係合片４０、回転板５０及び錠ケース本体７０の５部分に分離できる。なお、係合片４０は錠本体３０に固着されてその一部となる。
【００２５】
鋼製のキャップ２０は、中心部に設けられた軸孔２２と中心から外れた位置に設けられた表示孔２４を有する表面板２６及び表面板２６の周に連設された周壁２８とを備えている。
鋼製の錠ケース本体７０は、キャップ２０と接合されて錠１０の外殻を形成する部材であり、キャップ２０の表面板２６と相似形の裏面板７２と裏面板７２の周に連設された周壁７４とを備えている。周壁７４の外周はキャップ２０の周壁２８の内周に整合する形状で、周壁７４を周壁２８に内嵌（印篭接ぎ）することでキャップ２０と錠ケース本体７０とが接合されて、錠１０の外殻となる。
【００２６】
また、裏面板７２には、周壁７４を周壁２８に内嵌した際に軸孔２２と同芯になる鋼製の保持筒７６が嵌着されている。さらに、裏面板７２には、回転阻止部材としてのストッパ７８が固着されている。ストッパ７８は、保持筒７６の接線方向に沿って延出された腕部７８ａを有し、腕部７８ａに対してほぼ垂直方向に延びる逆転防止用板バネ８０の基端部を保持している。なお、逆転防止用板バネ８０は逆転防止手段に該当する。
【００２７】
錠本体３０は、外筒３２、錠体３４及び爪車３６から構成されている。
錠体３４は外筒３２を貫通しており、一方の端面に鍵穴３８が設けられ、先端部３４ａには係合片４０の嵌合穴４０ａが嵌着される。
外筒３２は、錠ケース本体７０の保持筒７６に嵌合、固定される。一方、錠体３４の鍵穴３８側の端部は、キャップ２０の軸孔２２に回転自在に内嵌される。
【００２８】
外筒３２の内部には公知のシリンダ錠機構（詳細の図示は省略）が配されており、鍵穴３８に差し込んだ鍵４２を介して、錠体３４を時計回り（解錠方向）及び反時計回り（施錠方向）に、約９０度の範囲で往復回動させることができる。
駆動手段としての爪車３６の外周には、径方向に沿った押面４４ａと接線方向に沿ったかわし面４４ｂを有する鋸歯状の歯山４４が多数設けられている。この爪車３６は、錠体３４の鍵穴３８側の端部に嵌合しており、錠体３４と共回りする。
【００２９】
回転体に該当する回転板５０の中心部には軸受孔５２が設けられており、この軸受孔５２には錠ケース本体７０の保持筒７６の内側端部７６ａが貫通している。ただし、軸受孔５２と保持筒７６の外周との間には適宜のクリアランスがあり、回転板５０は保持筒７６を軸として回転可能である。
【００３０】
回転板５０の外周には、径方向に沿った押面５４ａと接線方向に沿ったかわし面５４ｂを有する３つの鋸歯状の歯山５４及び径方向に沿った押面５６ａとこれに平行な当接面５６ｂとを有し、最終当たり部に該当する突起５６が、それぞれ径方向に沿って突出して設けられている。なお、押面５４ａ、５６ａは、互いに９０度ピッチで配されている。
【００３１】
また、歯山５４及び突起５６には、突起５６が１になる順序の時計回りに、それぞれ０、１、２、３の数字が描かれている。これらの数字は、キャップ２０の表面板２６に設けられた表示孔２４に対応する位置にあり、回転板５０の回転位置に応じて、各数字が表示孔２４に臨む設定である。
【００３２】
さらに、回転板５０の爪車３６側の面にはピン体５８が固着されており、このピン体５８にて駆動用板バネ６０の基端部を保持している。駆動用板バネ６０の延出方向は、軸受孔５２の接線方向に沿っており、その自由端は、例えば図３（ｂ）に示されるように、爪車３６の歯山４４の押面４４ａに接触する位置にある。
【００３３】
この錠１０の大まかな組立工程は、次の通りである。まず、回転板５０を保持筒７６にはめ付け、次に、錠本体３０の外筒３２を保持筒７６に嵌合、固着する。この際、係合片４０は未だ錠体３４には取り付けられておらず、外筒３２を保持筒７６に嵌合した後に、係合片４０を錠体３４に固着する。そして、軸孔２２に錠体３４の端部を内嵌させながら、キャップ２０を錠ケース本体７０の周壁７４に嵌合（印篭接ぎ）すれば、図１に示される錠１０が完成する。
【００３４】
この完成時の状態では、図３（ａ）、（ｂ）に示すように、回転板５０は、突起５６の押面５６ａを逆転防止用板バネ８０の自由端に接触させる位置にあり、表示孔２４に対応する位置には３が描かれている歯山５４があって、図３（ｃ）に示すように、表示孔２４に３が表示されている。
【００３５】
この図３に示される状態の錠１０を、図１３〜１５に示される基板ケース１００に取り付ける。この基板ケース１００は、例えばパチンコ機の制御装置を収容するもので、底部材１０２と蓋部材１０４とからなっている。制御装置及びその収容状態については、公知であるので図示と説明を省略する。
【００３６】
基板ケース１００を構成する、底部材１０２及び蓋部材１０４は、図示省略するヒンジを介して連結されており、ヒンジを軸として図１３に示すように開放でき、また図１４、１５に示すように閉鎖できる。
基板ケース１００の蓋部材１０４には、錠１０のキャップ２０に整合する錠取付用凹部１０８と錠本体３０を挿通するための貫通孔１１０が設けられており、錠１０は、係合片４０を蓋部材１０４の内側にして、錠取付用凹部１０８にキャップ２０を嵌合させることで、蓋部材１０４に固着される。
【００３７】
一方、底部材１０２には、係合片４０に対応する位置に係合用の鈎爪１１２が設けられており、基板ケース１００を閉鎖して鍵４２にて錠１０を操作すれば、図１５に示すように係合片４０を鈎爪１１２に係合させる（施錠する）ことができ、また図１３、１４に示すようにこの係合を解除する（解錠する）ことができる。
【００３８】
次に、この錠１０の施錠、解錠について、図３〜１２を参照して説明する。
錠１０を基板ケース１００に取り付けたときには、錠１０は初期的な状態（図３に示される状態）にある。錠１０をこの状態に保ったまま基板ケース１００を閉鎖し、鍵４２を鍵穴３８に差し込んで反時計回りに約９０度回すと、錠体３４が反時計回りに約９０度回転変位して鈎爪１１２に係合する。これが１回目の施錠であり、錠１０は図４に示される状態になる。
【００３９】
この施錠に際して、爪車３６も反時計回りに回転するが、歯山４４のかわし面４４ｂが駆動用板バネ６０の側面を擦るだけであり、爪車３６の回転が回転板５０に伝達されることはない。また、回転板５０の突起５６の押面５６ａが逆転防止用板バネ８０の自由端に接触しているので、これによって回転板５０の反時計回り回転が阻まれる。したがって、回転板５０は、この施錠操作時には回転変位せず、表示孔２４には３が表示されている。
【００４０】
次に、鍵穴３８に差し込んだ鍵４２を時計回りに回すと、錠体３４及び爪車３６が時計回りに回転する。このとき、図５に示すように、歯山４４の押面４４ａが駆動用板バネ６０の自由端を押すので、その力が駆動用板バネ６０を介して回転板５０に伝達され、回転板５０も時計回りに回転する。その際、回転板５０の歯山５４のかわし面５４ｂが逆転防止用板バネ８０の自由端側を押し出すよう弾性変形させながら擦過するので、逆転防止用板バネ８０が回転板５０の回転を阻害することはない。
【００４１】
錠体３４が約９０度回転すると、係合片４０と鈎爪１１２の係合が解除され、１回目の解錠となる。このとき、錠１０は図６に示される状態となり、回転板５０は、初期状態から約９０度時計回り回転して、０の数字が描かれた歯山５４の押面５４ａに逆転防止用板バネ８０の自由端が当たり、表示孔２４には２が表示される。
【００４２】
この後、２回目の施錠操作（図７、８参照）と２回目の解錠操作を行うと、表示孔２４には１が表示される。
さらに、３回目の施錠操作を行ってから、３回目の解錠操作をすると、図９に示されるように、２が描かれている歯山５４が逆転防止用板バネ８０の自由端側を押し出しながら移動してきて、３回目の解錠操作の完了時には、図１０に示すように、２の数字が描かれた歯山５４の押面５４ａに逆転防止用板バネ８０の自由端が当たり、ストッパ７８の腕部７８ａに突起５６の当接面５６ｂが当たる。また、このとき表示孔２４には０が表示される。
【００４３】
図１０に示す状態になると、回転板５０は、ストッパ７８によって時計回り回転を阻止され、逆転防止用板バネ８０によって反時計回り回転を阻止されるので、もはや回転できない。
そして、図１１に示すように、４回目の施錠操作を実行すると、その施錠が完了した際には、図１２に示すように、爪車３６の時計回り回転が回転板５０によって阻まれるから、錠体３４を時計回りに回転させることはできなくなる。すなわち、４回目の解錠操作はできない。
【００４４】
以上のように、この錠１０では合計３回の解錠操作が可能であり、表示孔２４に示される数字は、初期状態では３、１回目の解錠操作が行われると２、２回目の解錠操作が行われると１、３回目の解錠操作が行われると０と、順に変化してあと何回の解錠操作が可能であるかを示す。すなわち、表示孔２４と数字（歯山５４及び突起５６）が共同して、操作可能回数表示手段として機能する。
【００４５】
そして、３回の解錠操作を行うと、４回目の施錠はできるが、４回目の解錠はできなくなる。
このように、本実施例の錠１０は、設定回数までの解錠は可能であるが、それを越えては解錠操作できない。よって、遊技機の制御装置を収容する基板ケース１００に好適である。しかも、部品点数は少なく、構造も単純でコンパクト化が可能である。
【００４６】
以上、実施例にしたがって本発明の実施の形態を説明したが、本発明はこの例に限定されるものではない。
【図面の簡単な説明】
【図１】  実施例の錠の斜視図である。
【図２】  実施例の錠の分解斜視図である。
【図３】  実施例の錠の完成時（未使用）の状態の説明図であり、図３（ａ）はキャップを撤去した状態の斜視図、図３（ｂ）はキャップを撤去した状態の正面図、図３（ｃ）はキャップを装着した状態の正面図である。
【図４】  実施例の錠の１回目の施錠時の説明図であり、図４（ａ）はキャップを撤去した状態の斜視図、図４（ｂ）はキャップを撤去した状態の正面図である。
【図５】  実施例の錠の１回目の解錠途中の説明図であり、図５（ａ）はキャップを撤去した状態の斜視図、図５（ｂ）はキャップを撤去した状態の正面図である。
【図６】  実施例の錠の１回目の解錠完了時の説明図であり、図６（ａ）はキャップを撤去した状態の斜視図、図６（ｂ）はキャップを撤去した状態の正面図である。
【図７】  実施例の錠の２回目の施錠途中の説明図であり、図７（ａ）はキャップを撤去した状態の斜視図、図７（ｂ）はキャップを撤去した状態の正面図である。
【図８】  実施例の錠の２回目の施錠完了時の説明図であり、図８（ａ）はキャップを撤去した状態の斜視図、図８（ｂ）はキャップを撤去した状態の正面図である。
【図９】  実施例の錠の３回目の解錠途中の説明図であり、図９（ａ）はキャップを撤去した状態の斜視図、図９（ｂ）はキャップを撤去した状態の正面図である。
【図１０】  実施例の錠の３回目の解錠完了時の説明図であり、図１０（ａ）はキャップを撤去した状態の斜視図、図１０（ｂ）はキャップを撤去した状態の正面図である。
【図１１】  実施例の錠の４回目の施錠途中の説明図であり、図１１（ａ）はキャップを撤去した状態の斜視図、図１１（ｂ）はキャップを撤去した状態の正面図である。
【図１２】  実施例の錠の４回目の施錠完了時の説明図であり、図１２（ａ）はキャップを撤去した状態の斜視図、図１２（ｂ）はキャップを撤去した状態の正面図である。
【図１３】  実施例の基板ケースを開放した状態の説明図である。
【図１４】  実施例の基板ケースを閉鎖して解錠した状態の説明図である。
【図１５】  実施例の基板ケースを閉鎖して施錠した状態の説明図である。
【符号の説明】
１０…錠（施錠機構）、２０…キャップ、２２…軸孔、２４…表示孔（操作可能回数表示手段）、２６…表面板、２８…周壁、３０…錠本体、３２…外筒、３４…錠体、３６…爪車（駆動手段）、３８…鍵穴、４０…係合片、４２…鍵、４４…歯山、４４ａ…押面、４４ｂ…かわし面、５０…回転板（回転体）、５２…軸受孔、５４…歯山（操作可能回数表示手段）、５４ａ…押面、５４ｂ…かわし面、５６…突起（最終当たり部、操作可能回数表示手段）、５６ａ…押面、５６ｂ…当接面（最終当たり部）、５８…ピン体、６０…駆動用板バネ、７０…錠ケース本体、７２…裏面板、７４…周壁、７６…保持筒、７８…ストッパ（回転阻止部材）、７８ａ…腕部（回転阻止部材）、８０…逆転防止用板バネ（逆転防止手段）、１００…基板ケース（ケース本体）、１０２…底部材、１０４…蓋部材、１０８…錠取付用凹部、１１０…貫通孔、１１２…鈎爪（施錠機構）。
【図１】
0004299906.tif 000002
【図２】
0004299906.tif 000003
【図３】
0004299906.tif 000004
【図４】
0004299906.tif 000005
【図５】
0004299906.tif 000006
【図６】
0004299906.tif 000007
【図７】
0004299906.tif 000008
【図８】
0004299906.tif 000009
【図９】
0004299906.tif 000010
【図１０】
0004299906.tif 000011
【図１１】
0004299906.tif 000012
【図１２】
0004299906.tif 000013
【図１３】
0004299906.tif 000014
【図１４】
0004299906.tif 000015
【図１５】
0004299906.tif 000016